(57)【要約】【課題】洗顔や手洗いなど少流量で短時間に頻繁な給湯と給湯の停止が繰り返される場合、圧縮機は頻繁に発停を繰り返すことになり、圧縮機の信頼性について問題があった。【解決手段】給湯回路１１より給湯端末１０に給湯が開始されると、蓄熱体１４の蓄熱を利用して市水３２を加熱して給湯を行い、蓄熱量検知手段１５により検知した蓄熱体１４の蓄熱量が所定値以下となった場合、冷媒回路６を運転する冷媒回路運転手段１６を備えたヒートポンプ給湯機とすることにより、圧縮機頻繁な発停を抑制できると共に、冷媒回路内の異常な圧力上昇を抑制でき、圧縮機の信頼性を確保できる。【選択図】  図１
2004317020.tif 000002
【特許請求の範囲】
【請求項１】
圧縮機と放熱器と減圧手段と吸熱器とを含む冷媒回路と、前記放熱器と熱交換を行う水流路を備えた熱交換器と、前記水流路に水を供給する給水管と、前記水流路から給湯端末へと通水するように接続する給湯回路と、前記冷媒回路の熱を蓄熱する蓄熱体と、前記蓄熱体の蓄熱量を検知する蓄熱量検知手段と、前記給湯回路より前記給湯端末に給湯が開始されると、前記蓄熱体の蓄熱を利用し水を加熱して給湯を行い、前記蓄熱量検知手段により検知した前記蓄熱体の蓄熱量が所定値以下となった場合、前記冷媒回路を運転する冷媒回路運転手段を備えたヒートポンプ給湯器。
【請求項２】
冷媒回路が運転され給湯端末からの給湯を停止した場合、蓄熱運転手段により、蓄熱体に前記冷媒回路の熱を蓄熱する停止時蓄熱手段を備えた請求項１記載のヒートポンプ給湯器。
【請求項３】
吸熱器の着霜を検知する着霜検知手段を有し、冷媒回路が運転され給湯端末からの出湯を停止した時に前記着霜検知手段により前記吸熱器に着霜が検知された場合、前記吸熱器の除霜運転を行う停止時除霜手段を備えた請求項１または２記載のヒートポンプ給湯器。
【請求項４】
市水の温度を検知する水温検知手段と、検知された市水の温度に基づいて冷媒回路を運転して蓄熱すべき前記蓄熱体の蓄熱量を算出する水温蓄熱量演算手段を備えた請求項１〜３いずれか１項に記載のヒートポンプ給湯器。
【請求項５】
外気温度を検知する外気温度検知手段と、検知された外気温度に基づいて冷媒回路を運転して蓄熱すべき蓄熱体の蓄熱量を算出する外気温蓄熱量演算手段を備えた請求項１〜３いずれか１項に記載のヒートポンプ給湯器。
【請求項６】
冷媒回路は、冷媒の圧力が臨界圧力以上となる超臨界ヒートポンプサイクルであり、前記臨界圧力以上に昇圧された冷媒により熱交換器の水流路の流水を加熱することを特徴とする請求項１〜５いずれか１項に記載のヒートポンプ給湯器。
【発明の詳細な説明】
【０００１】
【発明の属する技術分野】
本発明はヒートポンプ給湯器に関するものである。
【０００２】
【従来の技術】
従来のヒートポンプ給湯器は図５に示すように、閉回路に構成される冷媒流路１で圧縮機２、放熱器３、減圧手段４、吸熱器５が接続された冷媒回路６と、放熱器３と熱交換を行う水流路７を備えた熱交換器８と、この水流路７に市水３２を供給する給水管９と、前記水流路７とシャワーや蛇口等の給湯端末１０とを接続する給湯回路１１と、給湯回路１１に設け給湯温度を検出する温度センサー１２と、圧縮機２の回転数を制御するインバータ１３を備え、圧縮機２を温度センサー１２の検出温度と設定温度との差に応じてインバータ１３の出力周波数を変換するようにしており、従来のヒートポンプ給湯器では設定温度に対して給湯温度が低い場合は圧縮機２の回転数を上げ、給湯温度が高い場合は回転数を下げるように制御するようにしていた（特許文献１参照）。
【０００３】
即ち、給湯が開始され設定温度に対して給湯温度が低いと圧縮機２を運転し、給湯が停止され、設定温度に対して給湯温度が高くなると圧縮機２の運転周波数を低下していき最終的に停止させる。
【０００４】
【特許文献１】
特開平２−２２３７６７号公報（第５図）
【０００５】
【発明が解決しようとする課題】
しかしながら、上記従来例の給湯器の構成では、給湯時における給湯負荷が一定ではなく、特に流量は使用者が給湯目的によってさまざまに変化させるために給湯負荷は大きく変ってしまう。例えば家庭用の給湯の場合、シャワーや風呂への湯張りに給湯する場合は１０〜２０Ｌ／ｍｉｎの大流量となるが、台所で食器を洗う場合や洗面への給湯では３〜５Ｌ／ｍｉｎと少流量である。また、季節による給水温度の変化によっても給湯負荷は大きく変る。
【０００６】
特に、洗顔や手洗いなど少流量で短時間に頻繁な給湯と給湯の停止が繰り返される場合、設定温度に対して給湯温度が低いと必ず圧縮機２を起動し、給湯が停止されると圧縮機２を停止させるため、圧縮機２は頻繁に発停を繰り返すことになる。
【０００７】
さらに、給湯が停止されても直ちに圧縮機２を停止するのではなく、圧縮機２の運転周波数を特定の周波数まで下げていき最終的に圧縮機２を停止することになる。給湯は停止されているため、圧縮機２が運転周波数を下げて行き停止するまでの間、放熱器３では放熱ができず余剰の熱が、冷媒回路６内の圧力を上昇させ圧縮機２の許容運転範囲を超えるため、圧縮機２の信頼性を確保できないという問題があった。
【０００８】
本発明は、上記従来の課題を解決するもので、圧縮機２の信頼性を確保できるヒートポンプ給湯器を提供することを目的とする。
【０００９】
【課題を解決するための手段】
この目的を達成するために本発明のヒートポンプ給湯器は、給湯回路より給湯端末に給湯が開始されると、蓄熱体の蓄熱を利用して市水を加熱して給湯を行い、蓄熱量検知手段により検知した蓄熱体の蓄熱量が所定値以下となった場合、冷媒回路を運転する冷媒回路運転手段を備えた。
【００１０】
これによって、少流量の頻繁な給湯に対しては、圧縮機を運転することなく蓄熱体の蓄熱を利用して市水を加熱して給湯するので、圧縮機の頻繁な発停を抑制できる。また、圧縮機は運転されないので、冷媒回路内の圧力上昇を抑制できる。
【００１１】
【発明の実施の形態】
本発明の請求項１に記載の発明は、圧縮機と放熱器と減圧手段と吸熱器とを含む冷媒回路と、前記放熱器と熱交換を行う水流路を備えた熱交換器と、前記水流路に市水を供給する給水管と、前記水流路から給湯端末へと通水するように接続する給湯回路と、前記冷媒回路の熱を蓄熱する蓄熱体と、前記蓄熱体の蓄熱量を検知する蓄熱量検知手段と、前記給湯回路より前記給湯端末に給湯が開始されると、前記蓄熱体の蓄熱を利用して市水を加熱して給湯を行い、前記蓄熱量検知手段により検知した前記蓄熱体の蓄熱量が所定値以下となった場合、前記冷媒回路を運転する冷媒回路運転手段を備えたものである。
【００１２】
この発明によれば、少流量の頻繁な給湯に対しては、圧縮機を運転することなく蓄熱体の蓄熱を利用して市水を加熱して給湯するので、圧縮機頻繁な発停を抑制できる。また、圧縮機は運転されないので、冷媒回路内の圧力上昇を抑制でき、圧縮機の信頼性を確保できる。
【００１３】
本発明の請求項２に記載の発明は、請求項１記載のヒートポンプ給湯装置の構成において、前記冷媒回路が運転され前記給湯端末からの給湯を停止した場合、前記蓄熱運転手段により、前記蓄熱体に前記冷媒回路の熱を蓄熱する停止時蓄熱手段を備えたものである。
【００１４】
この発明によれば、圧縮機が運転中に給湯を停止した場合、停止時蓄熱手段により圧縮機が停止するまでの余剰の熱は蓄熱体への蓄熱に利用できる。即ち、冷媒回路内余剰の熱は蓄熱体へ放熱できるので、冷媒回路内の圧力上昇を抑制、制御できるので圧縮機の信頼性を確保できる。
【００１５】
本発明の請求項３に記載の発明は、請求項２記載のヒートポンプ給湯装置の構成において、前記吸熱器の着霜を検知する着霜検知手段を有し、前記冷媒回路が運転され前記給湯端末からの出湯を停止し前記着霜検知手段により前記吸熱器に着霜が検知された場合、前記吸熱器の除霜運転を行う停止時除霜手段を備えたものである。
【００１６】
この発明によれば、圧縮機が運転中に給湯を停止した場合には停止時除霜手段により圧縮機が停止するまでの余剰の熱は除霜に利用できる。即ち、冷媒回路内の余剰の熱を、吸熱器に付着した霜へ放熱して霜を溶かすので、冷媒回路内の圧力上昇を抑制、制御できるので圧縮機の信頼性を確保できる。
【００１７】
本発明の請求項４に記載の発明は、請求項３記載のヒートポンプ給湯装置の構成において、前記市水の温度を検知する水温検知手段と、検知された市水の温度に基づいて前記冷媒回路を運転して蓄熱すべき前記蓄熱体の蓄熱量を算出する水温蓄熱量演算手段を備えたものである。
【００１８】
この発明によれば、市水の温度変化によって、冷媒回路を運転すべき蓄熱量が変化する。即ち、市水温度が高なると水温蓄熱演算手段は冷媒回路の運転を開始する蓄熱体に蓄積される蓄熱量をより小さく演算するので、蓄熱体の熱を利用して行われる給湯の時間が長くなり、冷媒回路の運転回数は減少するので圧縮機の発停回数も少なくなり、圧縮機頻繁な発停をより一層抑制できるので、圧縮機の信頼性を確保できる。
【００１９】
本発明の請求項５に記載の発明は、請求項３記載のヒートポンプ給湯装置の構成において、外気温度を検知する外気温度検知手段と、検知された外気温度に基づいて前記冷媒回路を運転して蓄熱すべき前記蓄熱体の蓄熱量を算出する外気温蓄熱量演算手段を備えたものである。
【００２０】
即ち、外気温度が高なると外気温蓄熱演算手段は冷媒回路の運転を開始する蓄熱体に蓄積される蓄熱量をより小さく演算するので、蓄熱体の熱を利用して行われる給湯の時間が長くなり、冷媒回路の運転回数は減少するので圧縮機の発停回数も少なくなり、圧縮機頻繁な発停をより一層抑制できるので、圧縮機の信頼性を確保できる。
【００２１】
本発明の請求項６に記載の発明は、請求項１〜５に記載の発明において、冷媒回路には、圧力が臨界圧力以上となる冷媒が使用したものである。
【００２２】
この発明によれば、熱交換器の放熱器を流れる冷媒は、圧縮機で臨界圧力以上に加圧されているので、熱交換器の水流路の流水により熱を奪われて温度低下しても凝縮することがない。したがって熱交換器全域で冷媒と水とに温度差を形成しやすくなり、高温の湯が得られ、かつ熱交換効率を高くできる。
【００２３】
【実施例】
以下本発明の実施例について、図面を参照しながら説明する。なお、従来例および各実施例において、同じ構成、同じ動作をする部分については同一符号を付与し、詳細な説明を省略する。
【００２４】
（実施例１）
図１は本発明の第１の実施例に係る瞬間加熱式のヒートポンプ給湯器の構成を示す模式図である。図１において、１４は、冷媒回路６により作り出した熱を蓄熱する蓄熱体であり、蓄熱材としてはマグネシアクリンカなどの固体物質でも良く、その場合には、蓄熱体１４内に通水することで、蓄熱材の熱を水に付加するために熱交換する。また、水そのものを蓄熱材として利用しても良い。本実施例では蓄熱材を水として説明を行う。
【００２５】
１５は、蓄熱体１４の蓄熱量を検知する蓄熱量検知手段であり、蓄熱体１４表面の温度をサーミスタ等の温度検知装置で検知し、その温度とサーミスタ取り付け位置から算出した容量から蓄熱体１４内の蓄熱量を検知する。１６は冷媒回路６を運転する冷媒回路運転手段である。３０は給水管９に水を送り出すポンプ、３１は市水３２の圧力を調整する減圧器、３３は水流路７と給湯回路１１及び蓄熱体１４の水路を切り換える三方弁である。３４は三方弁３３で混合された湯温が設定温度より高い場合に市水３２と混合して設定温度に調整する混合弁であり、これらの部品で出湯回路３５を形成している。
【００２６】
冷媒回路６は、例えば炭酸ガス（ＣＯ２）を冷媒として使用し、高圧側の冷媒圧力が冷媒の臨界圧以上となる超臨界ヒートポンプサイクルを使用している。
【００２７】
また、圧縮機２は、それぞれに内蔵する電動モータ（図示しない）によって駆動され、吸引した冷媒を臨界圧力まで圧縮して吐出する。減圧手段４はステッピングモータ（図示しない）により駆動する絞り弁で、冷媒流路抵抗を制御している。
【００２８】
水流路７に市水３２を直接供給する給水管９と、水流路７から出湯される湯をシャワーや蛇口等の給湯端末１０へ通水させるための給湯回路１１が接続されている。
【００２９】
放熱器３は、冷媒流路の流れ方向と水流路７の流れ方向を対向流とし、各流路間を熱移動が容易になるように密着して構成している。この構成により冷媒流路と水流路７の伝熱が均一化し、熱交換効率がよくなる。また、高温の出湯も可能になる。３６は吸熱器５に設けられた送風機で、吸熱器５に大気熱を供給するように送風する。
【００３０】
２４は冷媒回路６で加熱された水回路７を通った温水の温度を検知する給湯温度センサーである。２５は蓄熱体１４への蓄熱終了を検知するためのサーミスタ等の温度検知センサーであり、圧縮機２の周波数降下から停止までの時間を見込んで設置位置を決定して蓄熱体１４表面に設置された畜熱停止センサーである。
【００３１】
図１に示す実施例において、給湯端末１０の利用が検知されると、蓄熱量検知手段１５は蓄熱体１４の蓄熱量を検知する。検知した蓄熱量が所定の量より大きい場合には三方弁３３を通して蓄熱体１４内の湯を混合弁３４に送り込み、減圧器３１で適切な圧力に減圧された市水３２と混合して設定温度の湯となって給湯端末１０から給湯される。この時には、冷媒回路６は運転されない。
【００３２】
また、さらに給湯端末１０からの給湯中に蓄熱量検知手段１５が所定の蓄熱量より小さいことを検知すると、冷媒回路運転手段１６により冷媒回路６の運転を開始する。
【００３３】
冷媒回路６及び出湯回路３５では、減圧手段４は絞りの状態にあり、ポンプ９は停止している。この状態で、送風装置３６が回転し、圧縮機２が作動する。冷媒回路６において、圧縮機２より吐出された高温高圧のガス冷媒は、放熱器３に流入する。
【００３４】
放熱器３では、減圧器３１で減圧された市水３２が水回路７に給水管９を通して供給され、市水３２は高温のガス冷媒と熱交換して加熱されて温水となり、一方、冷媒は低温のガス状態となる。その後、冷媒は減圧弁４に流入する。冷媒が減圧手段４を通過することによって、低温低圧の液、ガスの二相状態となり吸熱器５に流入する。
【００３５】
吸熱器５内で、冷媒は送風装置３６によって吸い込まれた外気からの熱を吸収する。外気熱を吸収した冷媒は、蒸発ガス化し圧縮機２に流入する。このサイクルが繰り返される。
【００３６】
この時、混合弁３４は市水３２からの供給を停止して行き、また三方弁３３は冷媒回路６で加熱された水回路７の温水と蓄熱体１４から供給される湯を適温となるよう混合して給湯端末１０より給湯する。
【００３７】
冷媒回路６では設定温度と給湯温度センサー２４で検知した給湯温度の差が大きいと、圧縮機回転数を上昇させて冷媒回路６の出力を大きくし、三方弁３３は蓄熱体１４からの出湯回路を閉止していき冷媒回路６単独で給湯端末１０からの給湯を試みる。
【００３８】
給湯端末１０からの給湯負荷が冷媒回路６単独運転での出力範囲より大きい場合には三方弁３３を通して蓄熱体１４の湯と混合して、必要であれば混合弁３４を通して市水３２と混合して給湯端末１０から給湯する。このようにして、冷媒回路６と出湯回路３５を用いて給湯が行われる。
【００３９】
一方、給湯端末１０からの給湯の利用が終了したことが検知された場合について次に示す。先ず、給湯端末１０からの給湯の利用が終了したことが検知されると、蓄熱量検知手段１５は蓄熱体１４の蓄熱量を検知する。そして、検知した蓄熱量が所定の量より大きい場合には給湯端末１０の利用終了と共に、冷媒回路６と出湯回路３５は共に動作せずそのままの状態を維持する。
一方、検知した蓄熱量が所定の量より小さい場合には、停止時蓄熱手段１７により蓄熱体１４への蓄熱が行われる。三方弁３３を水回路７と蓄熱体１４とを連通するよう設定し、ポンプ３０を動作すると共に、先述した動作により冷媒回路６の運転を行う。
【００４０】
ポンプ３０により蓄熱体１４内の低温の水を吸い込み給水管９を通して、水回路７に送られる。水回路７では冷媒回路６によって加熱され湯が三方弁３３を通して蓄熱体１４に送られる。この循環を繰り返すことにより、蓄熱体１４に湯が蓄熱される。蓄熱停止センサー２５により検知された温度が所定の温度を超えると圧縮機２は徐々に周波数を低下させていき停止する。
【００４１】
以上の様に、少流量の頻繁な給湯に対しては、圧縮機２を運転することなく蓄熱体１４の蓄熱を利用して市水を加熱して給湯するので、圧縮機２頻繁な発停を抑制できる。また、圧縮機２は運転されないので、冷媒回路６内の圧力上昇を抑制できる。
【００４２】
また、圧縮機２が運転中に給湯を停止した場合、停止時蓄熱手段１７により圧縮機２が停止するまでの余剰の熱は蓄熱体１４への蓄熱に利用できる。即ち、冷媒回路６内余剰の熱は蓄熱体１４へ放熱できるので、冷媒回路６内の圧力上昇を抑制、制御できるので圧縮機２の信頼性を確保できる。
【００４３】
なお、前記蓄熱量の「所定の量」の所定値は可変であり、蓄熱体１４に蓄えることの出来る最大の蓄熱量の１０％〜５０％に設定することが出来る。つまり、最大蓄熱量の３０％に所定値を設定した場合、最大蓄熱量の３０％以上では冷媒回路６と出湯回路３５は共に動作せずそのままの状態を維持する。そして、３０％より小さくなると、停止時蓄熱手段１７により蓄熱体１４への蓄熱が行われるように動作する。
【００４４】
実施例１では圧力が臨界圧力以上となる超臨界ヒートポンプサイクルとしたが、もちろん一般の臨界圧力以下のヒートポンプサイクルでもよい。またこの場合、冷媒としてはフロンガス、アンモニア、ハイドロカーボン系の冷媒（ＨＣ冷媒）等を用いてもかまわない。
【００４５】
（実施例２）
図２本発明の実施例２おけるヒートポンプ給湯器の構成図である。尚、実施例１の給湯器と同一構造のものは同一符号を付与し、説明を省略する。
【００４６】
１８は吸熱器５への着霜を検知するための着霜検知センサー、１９は冷媒回路６が運転され田場合に、給湯端末１０からの出湯を停止し着霜検知手段１８により吸熱器５に着霜が検知された場合、吸熱器５の除霜運転を行う停止時除霜手段である。
【００４７】
以上の構成において、その動作、作用について説明する。ここでは本発明の特長である冷媒回路６が運転され、給湯端末１０からの給湯の利用が終了したことが検知された場合について示す。
【００４８】
給湯端末１０からの給湯の利用が終了したことが検知されると、先ず着霜検知手段１８は吸熱器５に着霜があるかどうかを検知する。
【００４９】
ここでは、着霜の検知には吸熱器５の温度を測定し所定温度以下となる時間が所定時間続いた場合、着霜しているとの検知手段を用いている。
【００５０】
着霜を検知した場合には、停止時除霜手段１９は吸熱器５の除霜を完了後、冷媒回路６を停止する。
【００５１】
即ち、圧縮機２及び送風装置３６を運転したまま減圧手段４を給湯時の設定開度より大きくすることにより、減圧手段４を通った冷媒温度が上昇する事になり、着霜している霜の温度より高い冷媒が吸熱器５を通過する事により、霜は冷媒より熱を吸熱して溶け除霜される。一定時間の除霜運転を行った後、除霜を終了する。
【００５２】
除霜終了後、蓄熱量検知手段１５は蓄熱体１４の蓄熱量を検知し、検知した蓄熱量が所定の量より小さい場合には、停止時蓄熱手段１７により蓄熱体１４への蓄熱が行われる。
【００５３】
検知した蓄熱量が所定の量より大きい場合には圧縮機２は除霜を行いながら徐々に周波数を低減していき停止する。
【００５４】
以上の様に、圧縮機２が運転中に給湯を停止した場合には停止時除霜手段１９により圧縮機２が停止するまでの余剰の熱は除霜に利用できる。即ち、冷媒回路６内の余剰の熱を、吸熱器５に付着した霜へ放熱して霜を溶かすので、冷媒回路６内の圧力上昇を抑制、制御できるので圧縮機２の信頼性を確保できる。
【００５５】
（実施例３）
図３は本発明の実施例３におけるヒートポンプ式給湯装置の構成図である。尚、実施例２の給湯装置と同一構造のものは同一符号を付与し、説明を省略する。
【００５６】
２０は市水３２の温度を検知する水温検知手段である。２１は水温検知手段２０で検知された水温に応じて蓄熱体１４の蓄熱量を市水３２温度が高いと蓄熱量を小さくし、市水３２温度が低いと蓄熱量を大きく演算する演算する水温蓄熱量演算手段である。
【００５７】
以上の構成において、その動作、作用について説明する。給湯端末１０からの給湯が開始されると蓄熱量検知手段１５は蓄熱体１４の蓄熱量を検知する。そして、水温検知手段２０で検知された市水３２温度より水温蓄熱量演算手段２１により求めた蓄熱量が蓄熱量検知手段１５により検知した蓄熱量より小さいと、冷媒回路６は運転されず、大きいと冷媒回路運転手段１６により冷媒回路６を運転する。
【００５８】
以上の様に、市水３２の温度変化によって、冷媒回路６を運転すべき蓄熱量が変化する。即ち、市水３２温度が高なると水温蓄熱演算手段２１は冷媒回路６の運転を開始する蓄熱体１４に蓄積される蓄熱量をより小さく演算するので、蓄熱体１４の熱を利用して行われる給湯の時間が長くなり、冷媒回路６の運転回数は減少するので圧縮機２の発停回数も少なくなり、圧縮機２頻繁な発停をより一層抑制できるので、圧縮機２の信頼性を確保できる。
【００５９】
（実施例４）
図４は本発明の実施例４におけるヒートポンプ式給湯装置の構成図である。尚、実施例２の給湯装置と同一構造のものは同一符号を付与し、説明を省略する。
【００６０】
２２は外気温度を検知する外気温検知手段である。２３は外気温度検知手段２２で検知された外気温度に応じて蓄熱体１４の蓄熱量を外気温度が高いと蓄熱量を小さくし、外気温度が低いと蓄熱量を大きく演算する演算する外気温蓄熱量演算手段である。
【００６１】
以上の構成において、その動作、作用について説明する。給湯端末１０からの給湯が開始されると蓄熱量検知手段１５は蓄熱体１４の蓄熱量を検知する。そして、外気温検知手段２２で検知された外気温度より外気温蓄熱量演算手段２３により求めた蓄熱量が蓄熱量検知手段１５により検知した蓄熱量より小さいと、冷媒回路６は運転されず、大きいと冷媒回路運転手段１６により冷媒回路６を運転する。
【００６２】
以上の様に、外気温度変化によって、冷媒回路６を運転すべき蓄熱量が変化する。即ち、外気温度が高なると外気温蓄熱演算手段２３は冷媒回路６の運転を開始する蓄熱体１４に蓄積される蓄熱量をより小さく演算するので、蓄熱体１４の熱を利用して行われる給湯の時間が長くなり、冷媒回路６の運転回数は減少するので圧縮機２の発停回数も少なくなり、圧縮機２頻繁な発停をより一層抑制できるので、圧縮機２の信頼性を確保できる。
【００６３】
【発明の効果】
以上の様に本発明によれば、圧縮機頻繁な発停を抑制できると共に、冷媒回路内の異常な圧力上昇を抑制でき、圧縮機の信頼性を確保できる。
【図面の簡単な説明】
【図１】本発明によるヒートポンプ給湯器の実施例１における回路図
【図２】本発明によるヒートポンプ給湯器の実施例２における回路図
【図３】本発明によるヒートポンプ給湯器の実施例３における回路図
【図４】本発明によるヒートポンプ給湯器の実施例４における回路図
【図５】従来のヒートポンプ給湯器の構成図
【符号の説明】
１  冷媒流路
２  圧縮機
３  放熱器
４  減圧手段
５  吸熱器
６  冷媒回路
７  水流路
８  熱交換器
９  給水管
１０  給湯端末
１１  給湯回路
１４  蓄熱体
１５  蓄熱量検知手段
１６  冷媒回路運転手段
１７  停止時蓄熱手段
１８  着霜検知手段
１９  停止時除霜手段
２０  水温検知手段
２１  水温蓄熱量演算手段
２２  外気温検知手段
２３  外気温蓄熱量演算手段
【図１】
2004317020.tif 000003
【図２】
2004317020.tif 000004
【図３】
2004317020.tif 000005
【図４】
2004317020.tif 000006
【図５】
2004317020.tif 000007